(57)【要約】【課題】従来の鑑賞装置では、気泡の動きは浮力に頼っている為、下から上に上がる単調なものであり、さらに空気ポンプから送られる空気が途中で詰まってしまうという課題があった。【解決手段】内部が横から可視でき、かつ液体を収納できる容器１と、容器１の略底面に回転動作により前記液体を撹拌する撹拌体２と、撹拌体２を駆動させる駆動装置３とを備え、前記液体の撹拌により渦又は渦状の軌跡で動く気泡を発生させ、横から観察できるようにした撹拌鑑賞装置としたものとする。【選択図】  図１
2004291471.tif 000002
【特許請求の範囲】
【請求項１】
内部が可視であるとともに液体を収納する容器と、前記容器の略底面に回転動作により前記液体を撹拌する撹拌体と、前記撹拌体を駆動させる駆動装置とを備え、前記液体の撹拌により渦又は渦状の軌跡で動く気泡を発生させる撹拌鑑賞装置。
【請求項２】
液体の撹拌により螺旋状の軌跡で動く気泡を発生させる請求項１記載の撹拌鑑賞装置。
【請求項３】
回転軸を容器の底部略中心より偏心させた撹拌体を備え、液体の撹拌により非対称形状である渦又は渦状の軌跡で動く気泡を発生させることを特徴とする請求項１または２記載の撹拌鑑賞装置。
【請求項４】
容器内の液体を照らす照明装置を設けた請求項１〜３記載のいずれか１項に記載の撹拌鑑賞装置。
【請求項５】
撹拌体の回転数を可変とした請求項１〜４記載のいずれか１項に記載の撹拌鑑賞装置。
【請求項６】
回転数を任意に可変できる操作部を有する請求項１〜５記載のいずれか１項に記載の撹拌鑑賞装置。
【請求項７】
光源の色を２色以上有する請求項１〜６記載のいずれか１項に記載の撹拌鑑賞装置。
【請求項８】
複数の光源の色を任意に選択できる操作部を有する請求項１〜７記載のいずれか１項に記載の撹拌鑑賞装置。
【請求項９】
撹拌体を着脱自在としたことを特徴とした請求項１〜８記載のいずれか１項に記載の撹拌鑑賞装置。
【請求項１０】
駆動装置を有する本体を備え、容器は前記本体に着脱自在に設置される請求項１〜９記載のいずれか１項に記載の撹拌鑑賞装置。
【請求項１１】
駆動装置及び撹拌体は磁石を具備し、前記撹拌体と前記駆動装置の間は、磁力により動力伝達する構成とした請求項１〜１０記載のいずれか１項に記載の撹拌鑑賞装置。
【発明の詳細な説明】
【０００１】
【発明の属する技術分野】
本発明は、鑑賞及び観察の為の液体、渦及び気泡さらに光源を備えた撹拌鑑賞装置に関するものである。
【０００２】
【従来の技術】
従来の鑑賞装置としては透明の容器に水を溜め、前記容器底部に設けた空気ポンプにより、空気を送り込むことで、気泡を発生させ、前記気泡を複数の色で着色された回転板を回転装置により回転させ、前記回転板の下部より、容器内面に光軸を向けたハロゲン球の光源により照らすことで、気泡に光を照らし演出する鑑賞装置が知られている。
【０００３】
しかし、このタイプの気泡の鑑賞装置では、気泡の動きは浮力に頼っている為、下から上に上がる単調なものであり、さらに空気ポンプから送られる空気が途中で詰まってしまうという問題があった。
【０００４】
また、従来には実願平７−１４４６７号公報（特許文献１）にあるような水面に渦巻きを形成する水中渦巻発生装置があり、池や川や湖の水中に設置するものが提案されているが、渦巻きは、上方から観察できるが、側面から渦巻きを観察できるものではなかった。
【０００５】
【特許文献１】
登録実用新案第３０２５９４９号公報
【０００６】
【発明が解決しようとする課題】
本発明は、上記の課題を解決するものであり、撹拌により渦又は渦状の軌跡で動く気泡を発生させ、横から観察できるようにしたことによって、鑑賞者に変化に富んだ気泡及び水流を演出し、さらに空気を巻き込むことで気泡を発生させ、空気が途中で詰まることがなく、安心して使用できる鑑賞装置を提供しようとするものである。
【０００７】
特に渦又は渦状の軌跡で動く気泡を撹拌体などで砕き、螺旋状に上昇する軌跡で動く気泡を発生させることや非対称形状である渦又は渦状の軌跡で動く気泡を発生させることにより変化に富んだ気泡及び水流を演出しようとするものである。
【０００８】
【課題を解決するための手段】
前記従来の課題を解決するために、本発明の撹拌鑑賞装置は、内部が可視であるとともに液体を収納する容器と、前記容器の略底面に回転動作により前記液体を撹拌する撹拌体と、前記撹拌体を駆動させる駆動装置とを備え、前記液体の撹拌により渦又は渦状の軌跡で動く気泡を発生させるものである。
【０００９】
【発明の実施の形態】
請求項１に記載の発明は、内部が可視であるとともに液体を収納する容器と、前記容器の略底面に回転動作により前記液体を撹拌する撹拌体と、前記撹拌体を駆動させる駆動装置とを備え、前記液体の撹拌により渦又は渦状の軌跡で動く気泡を発生させることにより、鑑賞者に変化に富んだ気泡及び水流を演出し、さらに空気を巻き込むことで気泡を発生させ、空気が途中で詰まることがなく、安心して使用できる鑑賞装置を提供できる。
【００１０】
請求項２に記載の発明は、特に請求項１記載の発明において、液体の撹拌により渦又は渦状の軌跡で動く気泡及び螺旋状の軌跡で動く気泡を発生させたことにより、さらに変化に富んだ気泡及び水流を演出できる。
【００１１】
請求項３に記載の発明は、特に請求項１または２記載の発明において、回転軸を容器の略底部略中心より偏心させた撹拌体としたことにより、液体の撹拌により非対称形状である渦又は渦状の軌跡で動く気泡を発生させることにより、軌跡が安定せずにより一層不規則に揺れる為、変化に富んだ気泡及び水流を演出できる。
【００１２】
請求項４に記載の発明は、特に請求項１〜３のいずれか１項に記載の発明において、容器内の液体を照らし出す照明装置を設けたことにより、変化に富んだ気泡及び水流を照らす演出ができる。
【００１３】
請求項５に記載の発明は、特に請求項１〜４のいずれか１項に記載の発明において、撹拌体の回転数を可変としたことにより、渦又は渦状の軌跡で動く気泡の連なり方や気泡の発生量を変化させることが可能となる。
【００１４】
請求項６に記載の発明は、特に請求項１〜５のいずれか１項に記載の発明において、回転数を任意に可変できる操作部を有することにより、任意に選択して回転数を変化させることで、好みの水流や気泡を発生させることが可能となる。
【００１５】
請求項７に記載の発明は、特に請求項１〜６のいずれか１項に記載の発明において、光源の色を２色以上有することにより、色調による変化をつけることが可能となる。
【００１６】
請求項８に記載の発明は、特に請求項１〜７のいずれか１項に記載の発明において、複数の光源の色を任意に選択できる操作部を有することにより、任意に選択して色調による変化をつけることが可能となる。
【００１７】
請求項９に記載の発明は、特に請求項１〜８のいずれか１項に記載の発明において、撹拌体を着脱自在としたことにより、撹拌体の汚れを容易に着脱し手入れすることで取り除くことができる。
【００１８】
請求項１０に記載の発明は、特に請求項１〜９のいずれか１項に記載の発明において、駆動装置を有する本体を備え、容器は前記本体に着脱自在に設置されることにより、容器内面の汚れを容易に着脱し手入れすることで取り除くことができる。
【００１９】
請求項１１に記載の発明は、特に請求項１〜１０のいずれか１項に記載の発明において、駆動装置及び撹拌体は磁石を具備し、前記撹拌体と前記駆動装置の間は、磁力により動力伝達する構成としたことにより、容器内面に穴を設ける必要が無く水漏れの恐れがない。また、容器を容易に本体から取り外し液体を排水することや水垢やヌメリなどの汚れなどを容易に手入れすることが可能となる。
【００２０】
【実施例】
以下、実施例に基づいて本発明の撹拌鑑賞装置を説明する。
【００２１】
（実施例１）
図１は、実施例１における撹拌鑑賞装置の断面図を示す。また、図２は撹拌部の断面拡大図を示す。
【００２２】
１は容器であって、アクリル樹脂等の透明材で略円筒状に作られ、内部が横から可視できかつ水などの液体を内部に設けられた満水表示線（図示せず）まで溜められる。２は、回転軸を容器１の底部の略中心より偏心させた撹拌体であり、磁石が具備され、設置及び駆動位置を容器１の底部に容器１に着脱自在に固定されている。３は、駆動装置であり、磁石が具備されている。４は、容器１を着脱自在に設置するとともに駆動装置３を内部に有する本体である。５は、容器１内に溜められた水などの液体を照らす照明装置であり、本体４内に設けられ、照明装置５は青色及び緑色を発光する２個のＬＥＤからなる。６は、制御基板であり、駆動装置３及び照明装置５が制御され、駆動装置３を制御することで、撹拌体２の回転数を可変することができる。
【００２３】
また、照明装置５を制御することで、各ＬＥＤが発光される。７は、撹拌体２の回転数を可変できる操作部Ａであり、本体４の表面部に設けられている。操作部Ａ７は、ダイヤル式であり、ダイヤルを回すことで制御装置６に信号を送り、駆動装置３を制御して撹拌体２の回転数を変える。操作部Ａ７を回さないと撹拌体２は止まった状態であり、回すと撹拌体２は回転し、操作部Ａ７のダイヤルを回す量により、回転数が可変される。８は、照明装置５の光源の色を任意に選択できる操作部Ｂである。操作部Ｂ８は、プッシュ式であり、操作部Ｂ８を押すことで、光源であるＬＥＤをオンオフする。操作部Ｂ８を押さないと２つのＬＥＤともＯＦＦ状態であり、１回押すと青色ＬＥＤのみがＯＮとなり、２回押すと緑色ＬＥＤのみがＯＮとなり、３回押すと両方ともＯＮとなり、４回押すと青色と緑色が交互にＯＮとなり、さらに５回押すと押さない最初の状態である２つのＬＥＤともＯＦＦになる状態に戻り、後は順番に繰り返される。９は、容器１の上方を覆うアクリル樹脂等の透明材からなる蓋である。１０は、本体４の表面部に設けた電源スイッチである。
【００２４】
以上のように構成さらた本発明の撹拌鑑賞について、その動作を説明する。
【００２５】
容器１に水を給水し、蓋９を取り付ける。電源１０を入れると、駆動装置３を制御する制御基板６により駆動装置３を駆動させることで、撹拌体２と駆動装置３の間に働く磁力により動力を伝達し、操作部Ａ７を回すと撹拌体２が回転する。
【００２６】
次に、撹拌体２の回転により、容器１内の水は回転し、渦が発生するが、容器１を可視できる透明材で形成していることによって渦を横から鑑賞できる。
【００２７】
また、水に空気を巻き込むことで、渦状の軌跡で動く気泡も発生させて、横から鑑賞できる。
【００２８】
尚、本実施例１では、操作部Ａ７をダイヤル式としたが、レバー式やプッシュ式などでも同様の効果を得ることができる。
【００２９】
尚、任意には選択出来ないが、操作部Ａ７を設けずに自動で可変するように予め設定しておいても同様の効果（水流や気泡を変化させる）が得られる。
【００３０】
さらに撹拌体２の回転数を可変して、図３に示した撹拌体２まで連なる渦を発生させることができ、横から鑑賞できる。
【００３１】
さらに、撹拌体２の回転数を可変して、図４に示した渦状又は渦状の軌跡で動く気泡及び螺旋状の軌跡で動く気泡の両方を同時に発生させることもできる。
【００３２】
尚、撹拌体２の回転軸は、実施例１のように容器１の底部中心より偏心させた位置でなくても渦又は渦状の軌跡で動く気泡もしくは螺旋状の軌跡で動く気泡を横から鑑賞できるが、しかし、実施例１のように回転軸を容器１の底部略中心より偏心させた位置で撹拌体２を回転させ、非対称形状の渦又は渦状の軌跡で動く気泡を発生させた方が、軌跡が安定せずに揺れて特に変化に富んだ演出ができる。
【００３３】
尚、前記の非対称形状とは、容器１の底部中心に撹拌体２を設けた場合に容器１の中心上で高さ方向にほぼ直線的である単調な渦を対称形状と考え、これに対し、偏心させた位置に撹拌体２を設けた時に発生する容器１の高さ方向にうねり形状を示す渦を区別する表現で非対称形状とした。
【００３４】
実施例１のようにさらに、容器１内の水を照らす照明装置５を設けたので、渦又は渦状の軌跡で動く気泡もしくは螺旋状の軌跡で動く気泡をはっきりと確認できるようになるとともに暗闇でも横から鑑賞できる。
【００３５】
そして、特に操作部Ｂ８を１回押すことで、青色を照らすことが出来、２回、３回あるいは４回と押すことで、色の変化を任意に選択して楽しむことができる。
【００３６】
尚、ＬＥＤは青色と緑色の２色としたが、この青色と緑色の２色に限定されるものでなく、さらにどんな色を何色組み合わせても２色以上であれば、色の変化を得ることができる。
【００３７】
また、操作部Ｂ８を設けず自動でＬＥＤのＯＮとＯＦＦを切り替えて、色の変化を楽しむようにしても同様の効果が得られる。
【００３８】
さらに、撹拌体２及び駆動装置３は磁石を具備し、撹拌体２と駆動装置３の間は、磁力により動力伝達させる構成を取って撹拌体２を着脱自在とすることで、容器１より撹拌体２を取り出して撹拌体２及び容器１の汚れを容易に除去することができる。
【００３９】
尚、撹拌体２を着脱自在に取り付ける方法には、例えば図２のように容器１の底部にフック１ａを複数設け、撹拌体２にもツバ２ａを設けて容器１の底部に取り付け、前記フック１ａに対応する位置に切り欠け部を設けた円盤状の抑え１１にて、フック１ａを抑え１１の切り欠け部に合わして上から抑えた後に抑え１１を回転してフック１ａにて抑え１１を取り付けることで撹拌体２を取り付け、逆の手順で取り外す方法がある。
【００４０】
しかし、上記の手段以外でも撹拌体２を着脱自在に取り付けることが出来れば撹拌体２の汚れを容易に除去することができる。
【００４１】
尚、撹拌体２の設置及び駆動位置を容器１の底部に固定することで、撹拌体２の位置ずれを防止でき、確実な回転動作がきるようになる。
【００４２】
また、容器１を着脱自在に本体４に設置する構造とすることで、容器１内面の汚れを容易に着脱し手入れして取り除くことができる。
【００４３】
尚、実施例１では容器１は円筒状形状としたが液体を収納できる容器であれば、形状が限定されるものではない。
【００４４】
また、容器１の材質をアクリル樹脂としたが、内部が可視できれるガラス、ＰＣ樹脂、ＰＳ樹脂あるいはＡＳ樹脂などでもよい。
【００４５】
【発明の効果】
以上のように、本発明によれば、鑑賞者に変化に富んだ気泡及び水流を演出し、さらに空気を巻き込むことで気泡を発生させ、空気が途中で詰まることがなく、安心して使用できる鑑賞装置を提供することが出来るようになる。
【図面の簡単な説明】
【図１】本発明の実施例１における撹拌鑑賞装置の断面図
【図２】撹拌部の断面拡大図
【図３】実施例１における撹拌体２まで連なる渦を示す図
【図４】実施例１における渦又は渦状の軌跡で動く気泡及び螺旋状の軌跡で動く気泡を示す図
【符号の説明】
１  容器
２  撹拌体
３  駆動装置
４  本体
５  照明装置
６  制御基板
７  操作部Ａ
８  操作部Ｂ
９  蓋
１０  電源
【図１】
2004291471.tif 000003
【図２】
2004291471.tif 000004
【図３】
2004291471.tif 000005
【図４】
2004291471.tif 000006